(57)【要約】      （修正有）【課題】手袋をしたままの状態で指紋認証することができる指紋認証用手袋を提供する。【解決手段】手袋の指部の少なくとも１つに、指紋認証用の開口部１１ａを有する指紋認証用手袋であって、手袋の利用者の手全体を覆う略袋形状の本体部１１と、指先に装着するサック形状の指先保護部１２とを有し、開口部は、本体部の指先部分の内側に配置される。指先保護部は、光透過性材料の袋状であることが好ましい。【選択図】図２
0003202627.tif 000002
【実用新案登録請求の範囲】
【請求項１】
手袋の指部の少なくとも１つに、指紋認証用の開口部を有する指紋認証用手袋であって、
前記手袋の利用者の手全体を覆う略袋形状の本体部と、
前記利用者の指先に装着するサック形状の指先保護部と
を有し、
前記開口部は、前記本体部の指先部分の内側に配置される、
ことを特徴とする指紋認証用手袋。
【請求項２】
前記指先保護部は、光透過性材料の袋状であり、指紋認証時に、前記開口部を介して、前記利用者の指紋を透けて露呈する、ことを特徴とする、請求項１に記載の指紋認証用手袋。
【請求項３】
前記本体部は、通気性の材質であり、
前記指先保護部は、非通気性の材質である、
ことを特徴とする、請求項１又は請求項２に記載の指紋認証用手袋。
【考案の詳細な説明】
【技術分野】
【０００１】
本考案は、手袋をしたままの状態で、指紋認証することができる指紋認証用手袋に関する。
【背景技術】
【０００２】
近年、タッチパネルを備えたスマートフォン等の携帯用機器が広く普及している。携帯用機器は寒い場所（例えば屋外）でも使用されるので、手袋をはめたまま携帯用機器（タッチパネルなど）を操作したいという要望がある。特許文献１では、手袋本体の指部の先端部分に他の部分よりも糸が細く密度も低く編成されたタッチ部を備え、タッチ部はナイロン又はポリエステルのウーリー糸を用いる技術を開示している。特許文献２では、２本以上の指先の腹側が、真空蒸着により形成された銀薄膜をポリエステルフィルムで挟んで、糸状に裁断された銀蒸着スリット糸を手袋の外側と内側に銀蒸着スリット糸が連続した状態で編み込んで形成されているタッチパネル操作用手袋に関する技術を開示している。特許文献３では、静電容量式のタッチパネルを操作するための静電容量式タッチパネル操作用塗布剤において、保湿性を有するジェル状化粧料であることを特徴とする静電容量式タッチパネル操作用塗布剤に関する技術を開示している。
【先行技術文献】
【特許文献】
【０００３】
【特許文献１】特開２０１３−１８５２６７号公報
【特許文献２】特開２０１３−１８１２６７号公報
【特許文献３】特開２０１３−０４３８４３号公報
【考案の概要】
【考案が解決しようとする課題】
【０００４】
しかしながら、特許文献１乃至特許文献３に開示されている技術では、手袋をしたままの状態で、指の指紋を認証することができない。
【０００５】
本考案は、手袋をしたままの状態で指紋認証する指紋認証用手袋であって、手袋の指先の開口部を用いて、利用者の指紋を認証することができる指紋認証用手袋を提供することを目的とする。また、本考案は、手袋をしたままの状態で、スマートフォン、携帯電話及びその他電子機器の操作に使用することができる手袋であってもよい。
【課題を解決するための手段】
【０００６】
上記課題を解決するために、本考案の一つの実施形態は、手袋の指部の少なくとも１つに、指紋認証用の開口部を有する指紋認証用手袋であって、前記手袋の利用者の手全体を覆う略袋形状の本体部と、前記利用者の指先に装着するサック形状の指先保護部とを有し、前記開口部は、前記本体部の指先部分の内側に配置される、ことを特徴とする指紋認証用手袋を提供する。
【０００７】
本考案の他の実施形態は、上記の指紋認証用手袋であって、前記指先保護部は、光透過性材料の袋状であり、指紋認証時に、前記開口部を介して、前記利用者の指紋を透けて露呈する、ことを特徴とする指紋認証用手袋であってもよい。
【０００８】
本考案の他の実施形態は、上記のいずれか１つの指紋認証用手袋であって、前記本体部は、通気性の材質であり、前記指先保護部は、非通気性の材質である、ことを特徴とする指紋認証用手袋であってもよい。
【考案の効果】
【０００９】
本考案に係る指紋認証用手袋によれば、手袋をしたままの状態で指紋認証することができる。また、本考案に係る指紋認証用手袋によれば、指部の開口部を用いて、手袋の利用者の指紋を透けて露呈することができる。更に、本考案に係る指紋認証用手袋によれば、手袋をしたままの状態で、スマートフォン、携帯電話及びその他電子機器の操作に使用することができる。
【図面の簡単な説明】
【００１０】
【図１】本考案の実施形態に係る指紋認証用手袋の一例を説明する説明図である。
【図２】本考案の実施形態に係る指紋認証用手袋の指部を説明する説明図である。
【図３】本考案の実施例に係る指紋認証用手袋の使用状態の例を示す説明図である。
【考案を実施するための形態】
【００１１】
実施形態に係る指紋認証用手袋（以下、「手袋」という）の例を用いて、本考案を説明する。なお、本考案は、以後に説明する手袋以外でも、手袋の指部の開口部を用いる手袋であれば、いずれの手袋にも用いることができる。また、本考案は、指紋認証以外でも、指先（例えば指先部分の内側、指の腹部）で直接操作するスマートフォン、携帯電話、タブレット、ノートパソコン及びその他電子機器（リモコン、部品、部材、装置、アプリケーション、システム、商品、製品など）であれば、いずれのものにも用いることができる。なお、手袋の素材、色、形状は、特に限定されない。手袋の色は、透明、半透明、色付きのものであってもよい。手袋の色は、例えば使用者（消費者）の趣味趣向に合わせた柄のものであってもよい。
【００１２】
以後に、本考案を説明する。
【００１３】
図１乃至図３を用いて、本考案の実施形態に係る手袋の構成を説明する。ここで、図１は、本考案の実施形態に係る手袋の一例を説明する説明図である。図２は、本考案の実施形態に係る手袋の指部の一例を説明する説明図である。図３は、本考案の実施形態に係る手袋の使用状態の例を示す説明図である。なお、図１等に示す手袋の構成等は一例であり、本考案は図１等に示す手袋等に限定されるものではない。
【００１４】
図１及び図２に示すように、本考案に係る手袋１００は、手袋の指部の少なくとも１つに、指紋認証用の開口部１１ａを有する。また、本考案に係る手袋１００は、本実施形態では、手袋の利用者の手全体を覆う略袋形状の本体部１１と、利用者の指先に装着するサック形状の指先保護部１２とを有する。なお、本考案に係る手袋は、手袋の５本の指部のすべてに、開口部１１ａを備えてもよい。
【００１５】
図２に示すように、本考案に係る開口部１１ａは、本体部１１の指先部分の内側（指の腹部）に配置される。これにより、本考案に係る開口部１１ａは、手袋の利用者の指先の腹部を露出する。なお、開口部を配置する位置は、予め設計、実験、計算などで定められる位置とすることができる。
【００１６】
図１に示すように、本考案に係る本体部１１は、手袋の利用者の手全体を覆う袋状のものである。本考案に係る本体部１１は、防寒用の素材を用いることができる。
【００１７】
図２に示すように、本考案に係る指先保護部１２は、手袋の利用者の指先に装着するサック形状のものである。本考案に係る指先保護部１２は、光透過性材料を用いることによって、光透過型の指紋認証時に、開口部１１ａを介して、利用者の指紋を透けて露呈する。これにより、図３に示すように、利用者は、指Ｆｎｇの指紋認証を実施することができる。指先保護部１２は、透明又は半透明のスチレン・ブタジエンゴムであってもよい。
【００１８】
本体部１１は、通気性の材質を用いることができる。指先保護部１２は、非通気性の材質を用いることができる。これにより、利用者は、本体部１１の手のひら側を空気を通しにくい皮素材又は薄い素材とし、本体部１１の手の甲側を空気を少し通す素材にすることができるので、手袋の通気性を向上し、指先保護部１２が水蒸気で曇ることを防止することができる。
【００１９】
以上のとおり、本考案に係る手袋（指紋認証用手袋）によれば、手袋をしたままの状態で指紋認証することができる。また、本考案に係る手袋によれば、指部の開口部を用いて、手袋の利用者の指紋を透けて露呈することができる。更に、本考案に係る手袋によれば、例えばスマートフォン、携帯電話及びその他電子機器の操作時（認証時など）に、手袋をしたままの状態で、指先で直接操作できる。
【００２０】
以上のとおり、本考案に係る手袋（指紋認証用手袋）によれば、手袋を脱ぐ場合と比較して、容易に且つ迅速に指紋認証をすることができる。また、本考案に係る手袋によれば、導電性の手袋を使う場合と比較して、指先でタッチパネルを操作することができるので、指先の感覚が伝わり、より誤操作を防止し、操作性を向上することができる。更に、本考案に係る手袋によれば、導電性繊維で編み込んだ手袋を使う場合と比較して、安価に製造でき、かつ優れた操作性を有する手袋を提供することができる。
【００２１】
以上のとおり、本考案に係る実施形態について説明したが、本考案は上記の実施形態に限定されるものではない。すなわち、本考案は、実用新案登録請求の範囲に記載の内容に基づいて、様々に変形、変更又はその他任意に改変され得る。
【符号の説明】
【００２２】
１００  ：  指紋認証用手袋
１１  ：  本体部
１１ａ：  開口部
１２  ：  指先保護部
【図１】
0003202627.tif 000003
【図２】
0003202627.tif 000004
【図３】
0003202627.tif 000005